【事件の表示】
　特願２０１０−５２９０７８「インクジェットモジュール」拒絶査定不服審判事件〔平成２１年　４月１６日国際公開、ＷＯ２００９／０４９１５０、平成２３年　１月　６日国内公表、特表２０１１−５００３５８、請求項の数（１５）〕について、次のとおり審決する。
【結　論】
　原査定を取り消す。
　本願の発明は、特許すべきものとする。
【理　由】
第１　手続の経緯
　本願は、平成２０年１０月１０日（パリ条約による優先権主張２００７年１０月１２日、英国、２００７年１０月１５日、英国、２００８年７月１６日、米国）を国際出願日とする出願であって、平成２４年９月１４日付けで手続補正書が提出され、平成２５年２月５日付けで拒絶査定がされ、これに対し、同年６月７日に拒絶査定不服審判の請求がされ、同時に手続補正書が提出されたものである。　
　
　
第２　本願発明　
　本願の請求項１に係る発明は、平成２５年６月７日付けの手続補正書によって補正された特許請求の範囲、明細書及び図面の記載からみて、特許請求の範囲の請求項１に記載された事項により特定される、次のとおりのものと認める（以下「本願発明」という。）。　
「インクジェット・プリンタにコアモジュールを接続する方法であって、　
　前記インクジェット・プリンタにインクを供給するためのプリンタコネクタを有するインクジェット・プリンタを用意するステップと、　
　コアモジュールを用意するステップと、　
　前記コアモジュールと前記インクジェット・プリンタとの間にインクの流体連結を提供するために、前記プリンタコネクタを前記接続マニホールドに接続するステップと、を有し、　
　前記コアモジュールは、　
　ハウジングと、　
　前記ハウジング上に置かれ、前記コアモジュールの内方向及び外方向の流体連結を提供する複数のポートを有する接続マニホールドと、　
　前記ハウジング内に置かれ、フィルタハウジング内に置かれた流体フィルタを有するフィルタモジュールと、　
　前記ハウジング内に配置されたインク貯蔵器と、　
　前記接続マニホールド、前記インク貯蔵器、前記フィルタモジュールおよび前記ポートと流体連結しているインク回路と、を有し、　
　前記インク回路と、前記インクジェット・プリンタとの間の前記コアモジュールの内方向及び外方向の流体連結は、前記複数のポートを通ってのみ提供される、ことを特徴とする方法。」　
　
　
第３　原査定の理由の概要　
　本願発明は、その優先日前に日本国内又は外国において、頒布された特開２００７−１５２８８４号公報、特開２００４−３２２５０９号公報、特開平１１−２８８２３号公報、特開２００７−１９０７２８号公報、特開昭５７−２０５１５８号公報、特開２００７−１９０７２７号公報、国際公開第２００７／０３９０７８号に記載された発明に基づいて、その優先日前にその発明の属する技術の分野における通常の知識を有する者が容易に発明をすることができたものであるから、特許法第２９条第２項の規定により特許を受けることができない。　
　
　
第４　当審の判断　
１　刊行物の記載事項
（１）原査定の拒絶の理由に引用され、本願の優先日前に頒布された特開２００７−１５２８８４号公報（以下「刊行物１」という。）には、以下の記載が図とともにある。　
ア　「【請求項１】
　液滴吐出ヘッドへ供給する液体が充填される液室を備えた液体収容部と、
　前記液体収容部に設けられ、液体タンクの液体を前記液室へ流入させる流入口と、
　前記液室内に設けられたフィルタ部と、
　前記液体収容部に設けられ、前記フィルタ部で濾過された液体を液滴吐出ヘッドへ供給する液体供給口と、
　前記液体収容部に設けられ、前記液室の液体を液体タンクへ循環させる循環口と、
　前記液室に設けられ、前記フィルタ部内の液体を前記循環口へ送液する送液路と、
　を有して構成されていることを特徴とするフィルタユニット。　
…　
【請求項８】
　液滴を吐出する液滴吐出ヘッドと、　
　液体が貯留される液体タンクと、　
　前記液体タンクから供給された液体を濾過して前記液滴吐出ヘッドに供給する請求項１〜請求項７のいずれか１項に記載のフィルタユニットと、　
　前記液体タンクと前記フィルタユニットとの間で液体を循環させる循環手段と、を備えて構成されていることを特徴とする液滴吐出装置。」（【特許請求の範囲】）　
イ　「このＦＷＡプリンタでは、各ノズルへ均一にインクを供給するため、インクタンクに接続された主流路と各印字ユニットのフィルタユニットを、それぞれ分岐路で接続し、主流路に備えられたポンプを動作させる構成とされている。」（【０００３】）　
ウ　「図６、図７に示すように、ヘッドユニット３２は、用紙Ｐの幅よりも短尺の記録ヘッド３３が、用紙Ｐの幅方向に沿って複数（本実施形態では、８ヶ）配列されて構成されている。記録ヘッド３３は、インク供給管１７２（図８参照）を介してフィルタユニット７２に連結されており、フィルタユニット７２内の圧力を高めて記録ヘッド３３のノズルからインク滴を吐出するようになっている。なお、フィルタユニット７２については詳細を後述する。　
　インクジェット記録装置１２には、フィルタユニット７２とリザーバタンク６４とを接続する第１インク流路６９及び第２インク流路７０が設けられている。第１インク流路６９には、ポンプ７４及び開閉弁７６が並列に接続されている。　
　ポンプ７４は、フィルタユニット７２側に負圧を発生させてフィルタユニット７２からリザーバタンク６４への流動力をインクに与える。即ち、ポンプ７４が作動されると、インクが、各記録ヘッド３３から、各第１分岐流管８１を経由して第１主流路７９へ流動し、リザーバタンク６４へ流動する。また、インクが、リザーバタンク６４から第２主流路８０を経由して各第２分岐管８２へ分岐し、各フィルタユニット７２へ流動し、また、第２主流路８０を経由して第１主流路７９へ流動する。　
　なお、ポンプ７４は、上述したように、コントローラ５６によって制御されている。また、開閉弁７６は、第１主流路７９のポンプ７４より循環方向上流側と循環方向下流側とをバイパスするバイパス流路７７に設けられており、コントローラ５６によって制御されている。　
　第１インク流路６９は、一端部をリザーバタンク６４に挿入させた第１主流路７９と、第１主流路７９から分岐して下方へ延び各フィルタユニット７２にそれぞれ先端部を挿入させた第１分岐流管８１とを有する。また、第２インク流路７０は、一端部をリザーバタンク６４に挿入させ、他端部を第１主流路７９に合流させた第２主流路８０と、第２主流路８０から分岐して下方へ延び各フィルタユニット７２にそれぞれ先端部を挿入させた第２分岐管８２とを有する。　
　図６に示すインク吐出時には、ポンプ７４が停止され、開閉弁７６が開弁される。そして、インク滴の吐出によってフィルタユニット７２が減圧されることによって、第１インク流路６９及び第２インク流路７０では、何れもリザーバタンク６４からフィルタユニット７２へインクが流れる。これによって、フィルタユニット７２に、２本のインク流路からインクが流入するので、インク流路が１本の場合と比べて、圧損が半減され、また、各インク流路による圧損許容値を約２倍に設定することが可能になる。従って、配管の容積を縮小でき、以って、装置の小型化、低コスト化が可能となる。また、後述するインク循環時において、より流速が速くなり、ポンプ７４に過大な性能を必要としないため、ポンプ７４の小型化が可能となる。」（【００４６】〜【００５１】）　
エ　「ここで、図８に基づいて、フィルタユニット７２について説明する。図８（Ａ）には、フィルタユニット７２の側面断面図が示されており、図８（Ｂ）には、図８（Ａ）のＤ−Ｄ線での断面図、図８（Ｃ）には、図８（Ａ）のＥ−Ｅ線での断面図がそれぞれ示されている。　
　図８（Ａ）に示すように、フィルタユニット７２は矩形箱状のケース１５０を有しており、ケース１５０内には略コ字状とされた枠部１５２が設けられている。　
　図８（Ｂ）に示すように、枠部１５２の幅方向の両側（開放面）には、フィルタ１５４が取り付けられている。そして、枠部１５２の開放側は、ケース１５０の底部１５０Ｃに設けられた支持部材１６０に固定されている。この構成により、フィルタ１５４、枠部１５２、支持部材１６０とで、ケース１５０内を第１インク室１５６と第２インク室１５８（フィルタ１５４内部）とに分割している。　
　一方、図８（Ａ）に示すように、ケース１５０の上壁１５０Ａの左側には、円筒状の上流側接続管１６２が突設されている。上流側接続管１６２には第２分岐管８２が接続される。そして、第２分岐管８２から上流側接続管１６２の流入口１６４を介して第１インク室１５６にインクが流入するようになっている。　
　上流側接続管１６２の下方には、ケース１５０の側壁１５０Ｂに平行に仕切壁１６６が設けられている。仕切壁１６６は上壁１５０Ａに連結され、底部１５０Ｃとの間に隙間を設けた状態とされており、仕切壁１６６とケース１５０の側壁１５０Ｂの間に案内通路１６８を形成している。そして、案内通路１６８を流れるインクは、仕切壁１６６と底部１５０Ｃの間の隙間から、第１インク室１５６に充填されるようになっている。つまり、上流側接続管１６２から流入したインクは、案内通路１６８によってケース１５０の底部１５０Ｃに案内され、第１インク室１５６の下方から充填されていく。
　第１インク室１５６に充填されたインクは、フィルタ１５４を介して第２インク室１５８に充填される。このとき、インク中の異物は、フィルタ１５４によって第２インク室１５８に流入するのが阻止されるので、第２インク室１５８には、異物が除去されたインクが充填される。　
　第２インク室１５８の底部（ケース１５０の底部１５０Ｃ）には、孔１７０が形成されており、孔１７０には円筒状のインク供給管１７２が挿通されている。図１０（Ａ）に示すように、インク供給管１７２は逆止弁１７３を介して記録ヘッド３３に連結され、インクプール３７へインクを充填する。
　逆止弁１７３は、フロートボール１７３Ａと、フロートボール１７３Ａが収容される収容部１７３Ｂとで構成されている。収容部１７３Ｂは、インク供給管１７２側において縮径されており、フロートボール１７３Ａが浮力によって浮上して収容部１７３Ｂの開口を閉じるようになっている。なお、インクプール３７の高さはフロートボール１７３Ａの直径に比べて十分に小さいので、インクプール３７にフロートボール１７３Ａが入り込むことがない。したがって、インク吸引時にフロートボール１７３Ａがインクの流れを妨げることがない。　
　このような構成により、第２インク室１５８から記録ヘッド３３にインクが供給されるとき、インクの流れの抵抗によってフロートボール１７３Ａが記録ヘッド３３側へ移動され、逆止弁１７３が開弁される。また、図１０（Ｂ）に示すように、リザーバタンク６４からフィルタユニット７２へインクを循環させる際に、第２インク室１５８からインクプール３３へのインクの流れが止まるので、フロートボール１７３Ａは浮力でインク供給管１７２側に移動して、収容部１７３Ｂの開口を閉じる。これにより、逆止弁１７３が閉弁された状態となって、記録ヘッド３３から第２インク室１５８にインクが流れ込まないようになっている。　
　一方、ケース１５０の上壁１５０Ａの右側には、円筒状の下流側接続管１７４が突設されている。下流側接続管１７４には第１分岐流管８１が接続される。これにより、ポンプ７４（図６参照）が停止されて開閉弁７６が開弁されると、第１分岐流管８１から下流側接続管１７４の循環口１７６を介して、第１インク室１５６にインクが供給される。また、ポンプ７４を作動させ、開閉弁７６が閉弁すると、第１インク室１５６のインクが、下流側接続管１７４の循環口１７６を介して、第１分岐流管８１からリザーバタンク６４へ流入する。」（【００５２】〜【００６１】）　
オ　上記ウ及びエに照らして図６〜図８をみると、記録ヘッド３３と、フィルタ１５４を有するフィルタユニット７２と、リザーバタンク６４と、リザーバタンク６４とフィルタユニット７２とを流体連結している第１インク流路６９及び第２インク流路７０が看取できる。
　そうすると、刊行物１には、「インクジェット記録装置において、記録ヘッドと、フィルタを有するフィルタユニットと、リザーバタンクと、リザーバタンクとフィルタユニットとを第１インク流路及び第２インク流路により流体連結する方法。」の発明（以下「引用発明１」という。）が記載されている。　
　
（２）同じく、特開２００４−３２２５０９号公報（以下「刊行物２」という。）には、以下の記載が図とともにある。　
ア　「【請求項１】
インク導入部とインクジェットヘッドにインクを供給するためのインク出口部を備えたハウジングと、インク中の不純物質を除去するフィルタとと、該ハウジング内の前記インク導入部から前記フィルタとの間の空間に第１の気泡排出口を設け、前記フィルタとインク出口部との間の空間に第２の排出口を設けたことを特徴とするインクジェットヘッド用フィルタユニット。」（【特許請求の範囲】）　
イ　「【発明の実施の形態】
以下、本発明の一例について図面を参照して説明する。
図１は本発明を適用したインクジェット記録装置のインク供給容器とインクジェットヘッド間に設けられたフィルタユニットの断面図である。導入側ハウジング１の内部には第１室３が形成されており、当該第１室３にはインク供給容器と導通するインク導入口２が設けられている。出口側ハウジング６の内部には第２室７が形成されており、当該第２室７にはインクジェットヘッドに導通するインク出口部８が設けられている。　
９はフィルタであって、本例においては図１の如く、第１室３の開口部を漏れなく覆うよう固着されているが、その固定方法に関してはこの限りではなく、パッキンやシール部材などを用いてフィルタ外周部とハウジング内部を漏れ無く固定した構成でもよい。フィルタ９は平板の形状であり、開孔径はインクジェットヘッドの吐出ノズル径よりも小さくなっている。　
導入側ハウジング１と出口側ハウジング６は、シール部材（図示せず）を介して複数のネジによりハウジング内部が気密状態となるよう密着・固定されている。なお、導入側ハウジング１と出口側ハウジング６の固定は、接着や溶着または接合面にシール部材などを挟んで固定することでも成し得る。
本発明のフィルタユニットにおいて、インク供給容器からのインクは矢印ａの方向から入り込み、フィルタ９を通過して矢印ｂの方向へ排出され、インクジェットヘッドへと供給される。なお、本図においてはインク導入口２とインク出口部８はそれぞれ１箇所で図示してあるがこの限りではない。また、インク導入口２とインク出口部８に結合されているインク流路部材２０は図示せぬ継手部材により結合されているものであるが、気密が得られる手段であればこの限りではない。
また、導入側ハウジング１には第１室用排出口４が設けられており、その配置はインク導入口２に対し鉛直方向で上側となる位置にある。第１室用排出口４の先端には排出用管１１が接続されている。このような構成とすることにより、何らかの理由により第１室３に入り込んだ空気の気泡はフィルタ９に付着することなく、又は付着した場合であっても、より上部の第１室用排出口４に向かって気泡が上昇するため、フィルタ９のインク流路の有効面積を減らすことなく、インクを通過させることが出来る。
一方、出口側ハウジング６には第２室用排出口５が設けられており、その配置はインク出口部８に対し鉛直方向で上側となる位置にある。第２室用排出口５の先端には排出用管１２が接続されている。」（【００１９】〜【００２４】）　
　そうすると、刊行物２には、「インク導入部とインクジェットヘッドにインクを供給するためのインク出口部を備えたハウジングと、インク中の不純物質を除去するフィルタと、該ハウジング内の前記インク導入部から前記フィルタとの間の空間に第１の気泡排出口を設け、前記フィルタとインク出口部との間の空間に第２の排出口を設けたインクジェットヘッド用フィルタユニット。」の発明（以下「引用発明２」という。）が記載されている。　
　
（３）同じく、特開平１１−２８８２３号公報（以下「刊行物３」という。）には、以下の記載が図とともにある。　
ア　「【請求項１】　記録ヘッドと接続された第１のインク流路、及び第２のインク流路が形成された第１の接続部材と、
前記第１の接続部材内の各インク流路に対応して設けられ、インク供給又は排出装置と接続する第１及び第２のインク流路が形成された第２の接続部材と、
前記第１及び第２の接続部材との接続部分に設けられ、前記第１及び第２の接続部材の第１及び第２のインク流路の両方の流路を覆う大きさに設定されたフィルタとを備えていることを特徴とするインクジェット記録装置。」（【特許請求の範囲】）　
イ　「記録ヘッド２は、内部に複数のインク噴射チャンネルが形成されたアクチュエータ２１、インク噴射チャンネル内のインクが噴射されるノズル孔が形成されたノズルプレート２２、インク貯留タンクからのインクを各インク噴射チャンネルに案内するためのマニホールド２３を有している。記録ヘッド２は、上記と同様の構成のものが複数個設けられ、高密度記録又は高速記録を達成するために並列配置されている。各マニホールド２３とインク貯留タンクとの間には、各マニホールド２３にインクを供給するための複数のインク流路が形成された接続部材（第１の接続部材）３０と、接続部材３０内の各インク流路に対応させてインク供給用流路が形成され、インク供給管１０及び１１を介してインク貯留タンクに接続する接続部材（第２の接続部材）３１と、これら接続部材３０と接続部材３１との接続部分に設けられ、接続部材３０，３１の各インク流路を覆う大きさに設定されたフィルタ３２とが設けられている。接続部材３０は、インク供給管３３及び３４によって各マニホールド２３と接続されている。記録ヘッド２と第１及び第２の接続部材３０，３１は、記録媒体に沿って移動可能なキャリッジ等のフレーム３に一体に支持されている。」（【００１８】）　
　そうすると、刊行物３には、「記録ヘッドと接続された第１のインク流路、及び第２のインク流路が形成された第１の接続部材と、前記第１の接続部材内の各インク流路に対応して設けられ、インク供給又は排出装置と接続する第１及び第２のインク流路が形成された第２の接続部材と、前記第１及び第２の接続部材との接続部分に設けられ、前記第１及び第２の接続部材の第１及び第２のインク流路の両方の流路を覆う大きさに設定されたフィルタとを備えているインクジェット記録装置。」の発明（以下「引用発明３」という。）が記載されている。　
　
（４）同じく、特開２００７−１９０７２８号公報（以下「刊行物４」という。）には、以下の記載が図とともにある。　
ア　「インクジェットプリンタ１００は、製造ラインの搬送装置Ａ１上に配置されるヘッド１０と、インクを伝送するケーブル２０と、ケーブル２０を介してヘッド１０にインクを供給するコントローラ３０からなる。」（【００１７】）　
　そうすると、刊行物４には、「製造ラインの搬送装置Ａ１上に配置されるヘッド１０と、インクを伝送するケーブル２０と、ケーブル２０を介してヘッド１０にインクを供給するコントローラ３０からなるインクジェットプリンタ１００。」の発明（以下「引用発明４」という。）が記載されている。　
　
（５）同じく、特開昭５７−２０５１５８号公報（以下「刊行物５」という。）には、以下の記載が図とともにある。　
ア　「（１）．インクジェットヘッドからインク滴を噴射させ、該インク滴を荷電偏向して記録紙に印写を行うインクジェット印写装置において、前記インクジェットヘッドにインクを供給するインク供給系略中の最終のフイルタにおいて、前記供給インク中にインク溶媒を注液するようにしたことを特徴とするインクジェット印写装置におけるインク粘度変化の補償装置。」（特許請求の範囲）　
　そうすると、刊行物５には、「インクジェットヘッドからインク滴を噴射させ、該インク滴を荷電偏向して記録紙に印写を行うインクジェット印写装置において、前記インクジェットヘッドにインクを供給するインク供給系略中の最終のフイルタにおいて、前記供給インク中にインク溶媒を注液するようにしたインクジェット印写装置におけるインク粘度変化の補償装置。」の発明（以下「引用発明５」という。）が記載されている。　
　
（６）同じく、特開２００７−１９０７２７号公報（以下「刊行物６」という。）には、以下の記載が図とともにある。　
ア　「図３は、図１のインクジェットプリンタ１００におけるインク循環系の構成例を示した図である。コントローラ３０内のインク循環系は、インクタンク４１、循環フィルタ４２、循環ポンプ４３ａ、インクポンプ４３ｂ、ガターポンプ４３ｃ、補充液ポンプ４３ｄ、メインタンク４４、粘度計４５、インクフィルタ４６、ガターフィルタ４７、補充液タンク４８、補充液フィルタ４９ａ，４９ｂ及びコンディショニングタンク５０からなる。」（【００３１】）　
　そうすると、刊行物６には、「コントローラ３０内のインク循環系が、インクタンク４１、循環フィルタ４２、循環ポンプ４３ａ、インクポンプ４３ｂ、ガターポンプ４３ｃ、補充液ポンプ４３ｄ、メインタンク４４、粘度計４５、インクフィルタ４６、ガターフィルタ４７、補充液タンク４８、補充液フィルタ４９ａ，４９ｂ及びコンディショニングタンク５０からなるインクジェットプリンタ１００。」の発明（以下「引用発明６」という。）が記載されている。　
　
（７）同じく、国際公開第２００７／０３９０７８号（特表２００９−５０８７１９号公報参照。）（以下「刊行物７」という。）には、以下の記載が図とともにある。　
ア　「【請求項１】
　インクジェットプリンタ内のインク流の圧力変動を減衰させるように形成された装置であって、
　フィルタ媒体（６２）と、
　入口（７２）、出口（７４）、少なくとも一つの内壁（６６，６０）、及び内部分（７５）を有するフィルタハウジング（５６）と、を含み、前記フィルタ媒体（６２）は、前記内部分（７５）内に位置決めされ、
　前記フィルタハウジング（５６）に作動的に連結された少なくとも一つの流量制御部材（５２，５４）を更に含み、前記少なくとも一つの流量制御部材（５２，５４）は、前記インク流の流量を制限するように形成され、前記少なくとも一つの流量制御部材（５２，５４）はまた、前記インク流の圧力変動を減衰させるのを補助するように形成される、装置。」（【特許請求の範囲】）　
　そうすると、刊行物７には、「インクジェットプリンタ内のインク流の圧力変動を減衰させるように形成された装置であって、フィルタ媒体（６２）と、入口（７２）、出口（７４）、少なくとも一つの内壁（６６，６０）、及び内部分（７５）を有するフィルタハウジング（５６）と、を含み、前記フィルタ媒体（６２）は、前記内部分（７５）内に位置決めされ、前記フィルタハウジング（５６）に作動的に連結された少なくとも一つの流量制御部材（５２，５４）を更に含み、前記少なくとも一つの流量制御部材（５２，５４）は、前記インク流の流量を制限するように形成され、前記少なくとも一つの流量制御部材（５２，５４）はまた、前記インク流の圧力変動を減衰させるのを補助するように形成される、装置。」の発明（以下「引用発明７」という。）が記載されている。　
　
２　対比
　本願発明と引用発明１とを対比する。　
　引用発明１の「記録ヘッド」は、インクジェット記録装置において、フィルタを有するフィルタユニット、リザーバタンク、第１インク流路及び第２インク流路を除いた構成であるから、本願発明の「インクジェット・プリンタ」に相当する。　
　引用発明１の「フィルタ」、「フィルタユニット」、「リザーバタンク」及び「第１インク流路及び第２インク流路」は、それぞれ本願発明の「流体フィルタ」、「フィルタモジュール」、「インク貯蔵器」及び「インク回路」に相当する。　
　引用発明１の「流体連結する方法」は、リザーバタンクとフィルタユニットとを第１インク流路及び第２インク流路により流体連結するものであるから、本願発明の「インク回路と、インクジェット・プリンタとの間の流体連結する方法」に相当する。　
　よって、本願発明と引用発明１は、　
「インクジェット・プリンタと、流体フィルタを有するフィルタモジュールと、インク貯蔵器と、インク貯蔵器およびフィルタモジュールと流体連結しているインク回路と、を有し、インク貯蔵器と、フィルタモジュールと流体連結しているインク回路と、を有し、前記インク回路と、前記インクジェット・プリンタとの間の流体連結をする方法。」　
の点で一致し、以下の点で相違している。　
　
　本願発明は、「プリンタコネクタ」、「ハウジング」、「複数のポート」、「（「複数のポート」を有する）接続マニホールド」、「（「ハウジング」、「接続マニホールド」、「フィルタモジュール」、「インク貯蔵器」及び「インク回路」とを有する）コアモジュール」を有するとともに、「インクジェット・プリンタにコアモジュールを接続する方法」、「インクジェット・プリンタにインクを供給するためのプリンタコネクタを有するインクジェット・プリンタを用意するステップ」、「コアモジュールを用意するステップ」、「前記コアモジュールと前記インクジェット・プリンタとの間にインクの流体連結を提供するために、前記プリンタコネクタを前記接続マニホールドに接続するステップ」を有し、「前記インク回路と、前記インクジェット・プリンタとの間の前記コアモジュールの内方向及び外方向の流体連結は、前記複数のポートを通ってのみ提供される」ものであるのに対し、引用発明１は、「フィルタモジュール」と「インク貯蔵器」と「インク回路」を有しているにすぎない点。（以下「相違点」という。）　
　
３　判断　
　相違点について、以下検討する。　
　上記「１　刊行物の記載事項　（２）〜（７）」のとおり、引用発明２〜７も、上記相違点１に係る本願発明の発明特定事項である「（「ハウジング」、「接続マニホールド」、「フィルタモジュール」、「インク貯蔵器」及び「インク回路」とを有する）コアモジュール」を備えていない。　
　そして、本願発明は、上記相違点１に係る本願発明の発明特定事項である「コアモジュール」を備えることにより、追加の接続を必要とすることなく、すべての流体連結を提供し、すべての流体ライン用に、１つの接続ポイントのみで、設置と取り外しのプロセスを大いに簡素化するという顕著な作用効果を得ることができるものである（【００５２】）。　
　
　したがって、本願発明は、引用発明１〜７に基づいて、当業者が容易に発明をすることができたものとはいえない。　
　さらに、本願発明に対して、その新規性及び進歩性を否定すべき優先日前の頒布刊行物は見当たらない。　
　
　さらに、請求項１に係る発明を直接あるいは間接的に引用する発明である請求項２〜７に係る発明、請求項８に係る発明、請求項８に係る発明を直接的に引用する発明である請求項９〜１５に係る発明も、上記相違点にかかる構成を有しているから、本願発明について上記で検討したのと同様の理由により、上記引用発明１〜７に基づいて当業者が容易に発明することができたものということはできない。　
　
第５　むすび　
　以上のとおりであるから、本願請求項１〜１５に係る発明は、引用発明１〜７に基づいて、当業者が容易に発明をすることができたものとすることはできないから、原査定の理由によっては、本願を拒絶することはできない。　
　また、他に本願を拒絶すべき理由を発見しない。　
　よって、結論のとおり審決する。